【手続補正書】
【提出日】令和2年12月9日(2020.12.9)
【手続補正１】
【補正対象書類名】明細書
【補正対象項目名】全文
【補正方法】変更
【補正の内容】
【発明の詳細な説明】
【発明の名称】両軸受リール
【技術分野】
【０００１】
本発明は、釣り用リール、特に両軸受リールに関する。
【背景技術】
【０００２】
両軸受リールのリール本体は、互いに対向する１対の側板を含むフレームを有している。１対の側板の一方には、糸巻き用のスプールを取り出すための開口部が設けられている。開口部は、側板に固定されたカバー部材により覆われている。側板には、カバー部材を固定するためのねじ孔が設けられている（特許文献１参照）。また、機械式のカウンタなどのスプールに連動する機構は、ハンドルと反対側に配置されている。
【先行技術文献】
【特許文献】
【０００３】
【特許文献１】特開２００４−２１５５３１号公報
【特許文献２】実公平８−１０２８０
【発明の概要】
【発明が解決しようとする課題】
【０００４】
特許文献１の両軸受リールでは、スプールに連動する機構をハンドルと反対側に配置し易くするために、ハンドルと反対側の側板に開口部が設けられている。この場合、開口部からスプールを取り出せるように、側板のねじ孔を開口部よりも外側に設ける必要があるため、側板の径方向のサイズが大きくなってしまう。また、特許文献２の両軸受リールのように、ハンドルと反対側の側板に開口部を設けない場合、スプールに連動する機構の組み付けが難しくなる（特許文献２参照）。
【０００５】
本発明の課題は、ハンドルと反対側のリール本体の径方向のサイズを小さくするとともに、ハンドルと反対側に配置されたスプールに連動する機構を、リール本体に容易に設置できるようにすることにある。
【課題を解決するための手段】
【０００６】
（１）本発明の一側面に係る両軸受リールは、リール本体、スプール軸、スプール、及びハンドル、を有している。リール本体は、第１側板、第１側板と間隔を隔てて対向して配置された第２側板、及び第２側板の外側を覆うように第２側板に装着されたカバー部材、を有している。スプール軸は、リール本体に支持されている。スプールは、第１側板と第２側板との間で回転可能にスプール軸に支持され、糸巻き胴部、及び糸巻き胴部の第２側板側に糸巻き胴部の外径よりも大径に形成されたフランジ部、を有している。ハンドルは、リール本体の第１側板側に回転可能に設けられている。第１側板は、スプール軸の軸方向に開口しスプールが通過可能な第１開口部を有している。第２側板は、第２開口部及び固定部を有している。第２開口部は、軸方向に開口する。固定部は、第２開口部の周縁に設けられ、かつ、スプール軸の軸方向視においてスプールのフランジ部と重なる位置に設けられる。固定部は、カバー部材を第２側板に装着するためのものである。
【０００７】
この両軸受リールでは、軸方向視において、第２側板の固定部がスプールのフランジ部と重なる位置に、すなわち内径側に偏倚して設けられている。このため、ハンドルと反対側に配置された第２側板の径方向のサイズを小さくすることができる。また、固定部が第２側板の第２開口部の周縁に設けられているため、第２開口部の径を大きく形成することができる。これにより、例えば、スプールに連動する機構をリール本体の第２側板側に設置する場合において、スプールに連動する機構の配置や組み付けが容易になる。
【０００８】
（２）好ましくは、固定部は、第２開口部の周縁から径方向内側に突出する。
【０００９】
（３）好ましくは、固定部は、第２側板の側面から軸方向外側に延び、内周部にねじ部を有する。
【００１０】
（４）好ましくは、カバー部材は、軸方向外側から固定部に挿入されたねじ部材により第２側板に固定されている、
【００１１】
（５）好ましくは、カバー部材及び第２側板の一方は、カバー部材及び第２側板の他方に向かって延びる突起部を有し、カバー部材及び第２側板の他方は、軸方向視において、スプールのフランジ部と重なる位置に設けられ突起部に係合する係合部を有している。この場合は、第２側板にカバー部材を固定するときのカバー部材の位置決めが容易にできる。
【００１２】
（６）好ましくは、カバー部材に配置され、スプール軸の一端を支持する軸受をさらに備えている。
【００１３】
（７）好ましくは、リール本体の第２側板側に設けられ、スプールに連動する連動機構をさらに備えている。この場合は、第２側板の固定部が第２側板の第２開口部の周縁に設けられているため、第２開口部の径を大きく形成することができ、スプールに連動する機構の配置や組み付けが容易になる。
【発明の効果】
【００１４】
本発明によれば、ハンドルと反対側のリール本体の径方向のサイズを小さくすることができるとともに、ハンドルと反対側に配置されたスプールに連動する機構をリール本体に容易に設置することができる。
【図面の簡単な説明】
【００１５】
【図１】本発明の一実施形態が採用された両軸受リールの斜視図。
【図２】フレームの斜視図。
【図３】フレームの右側面図。
【図４】フレーム及びスプールの断面斜視図。
【図５】第２側カバーの右側面図。
【発明を実施するための形態】
【００１６】
以下の説明において、釣りを行うときに、釣糸が繰り出される方向を前、その反対方向を後という。また、左右とは、両軸受リール１００（図１参照）を後方から見たときの左右をいう。また、両軸受リール１００を構成する各部材の右側を第１側、左側を第２側として説明することがある。また、スプール軸１０（図４参照）が延びる方向を軸方向という。
【００１７】
本発明の一実施形態を採用した両軸受リール１００は、釣り糸を前方に繰り出し可能である。両軸受リール１００は、図１に示すように、リール本体２と、スプール３と、ハンドル４と、カウンタ２０と、発音機構３０（図５参照）と、を備えている。
【００１８】
リール本体２は、フレーム６と、第１側カバー７と、第２側カバー８と、を有している。フレーム６は、図２乃至図４に示すように、第１側板１１と、第２側板１２と、複数の連結部１３と、を有している。なお、図３はフレーム６の右側面図である。
【００１９】
第１側板１１は、円環状であり、フレーム６の右側に配置されている。第１側板１１は、軸方向に開口しスプール３が通過可能な第１開口部１１ａを有している。
【００２０】
第２側板１２は、フレーム６の左側に配置されている。第２側板１２は、第１側板１１と軸方向に間隔を隔てて対向して配置されている。第２側板１２は、概ね円環状であり、第２開口部１２ａと、複数の固定部１２ｂと、複数の係合部１２ｃと、を有している。なお、固定部１２ｂ及び係合部１２ｃは少なくとも１個設けられていればよい。第２開口部１２ａは、軸方向に開口している。図３及び図４に示すように、第２開口部１２ａの径（固定部１２ｂを除く内周面の最大径）は、第１開口部１１ａの径、及びスプール３の径よりも小径である。
【００２１】
固定部１２ｂは、第２開口部１２ａの周縁に設けられている。本実施形態では、固定部１２ｂは、筒状であり、第２側板１２の側面から軸方向外側に突出するとともに、第２開口部１２ａの周縁から径方向内側に突出している。固定部１２ｂは、第２側板１２の周方向に間隔を隔てて３個設けられている。固定部１２ｂは、第２側カバー８を第２側板１２に装着するために、内周部にねじ部１２ｄを有している。
【００２２】
係合部１２ｃは、第２側板１２の側部を軸方向に貫通する円形の孔である。係合部１２ｃは、固定部１２ｂとは異なる位置で第２側板１２の周方向に間隔を隔てて２個設けられている。係合部１２ｃは、外周部が第２開口部１２ａの周縁から径方向内側に突出している。ここでは、固定部１２ｂ及び係合部１２ｃが第２開口部１２ａの周縁から径方向内側に突出して設けられているため、第２側板１２の径方向のサイズを小さくすることができる。
【００２３】
複数の連結部１３は、軸方向に延びて第１側板１１と第２側板１２とを連結している。
【００２４】
第１側カバー７は、図１に示すように、フレーム６の第１側板１１の右側方を覆う。第２側カバー８は、フレーム６の第２側板１２の左側方を覆う。第２側カバー８は、カバー部材の一例である。第２側カバー８は、軸方向外側から第２側板１２の固定部１２ｂに装着されたねじ部材１４により第２側板１２に固定されている。
【００２５】
第２側カバー８は、図５に示すように、複数の挿入孔８ａと、複数の突起部８ｂと、を有している。挿入孔８ａは、軸方向に貫通する孔であり、軸方向において、固定部１２ｂと重なる位置に形成されている。挿入孔８ａから第２側板１２に向けて挿入されたねじ部材１４が第２側板１２の固定部１２ｂのねじ部１２ｄに螺合して、第２側カバー８が第２側板１２に固定されている。
【００２６】
突起部８ｂは、図５に示すように、円柱状の突起であり、第２側板１２に向かって延びている。突起部８ｂは、第２側板１２の係合部１２ｃに係合する。これにより、第２側カバー８を第２側板１２に対して容易に位置決めすることができる。
【００２７】
スプール３は、図１及び図４に示すように、第１側板１１と第２側板１２との間でリール本体２に回転自在に支持されている。詳細には、スプール３は、スプール３の中央を軸方向に貫通するスプール軸１０に固定されており、スプール軸１０と一体的に回転する。スプール軸１０の第１（右）側は、リール本体２に配置された図示しない軸受に回転可能に支持されている。また、スプール軸１０の第２（左）側は、図５に示すように、第２側カバー８に配置された軸受１５に回転可能に支持されている。軸受１５は、第２側カバー８に設けられた軸受収容部８ｃに収容されている。
【００２８】
スプール３は、糸巻き胴部３ａと、第１フランジ部３ｂと、第２フランジ部３ｃ（フランジ部の一例）と、を有している。糸巻き胴部３ａは、外周が円筒状であり、外周に釣り糸が巻き付けられる。糸巻き胴部３ａの外径は、第２側板１２の第２開口部１２ａの径よりも小径である。すなわち、第２側板１２の第２開口部１２ａは、糸巻き胴部３ａの外径よりも大径である。
【００２９】
第１フランジ部３ｂは、糸巻き胴部３ａの第１側板１１側に糸巻き胴部３ａの外径よりも大径に形成されている。第１フランジ部３ｂは、第１側板１１に向かって軸方向に延びた第１外周部３ｄを先端に有している。第１外周部３ｄは、第１側板１１の内周部に対向して配置されている。
【００３０】
第２フランジ部３ｃは、糸巻き胴部３ａの第２側板１２側に糸巻き胴部３ａの外径よりも大径に形成されている。第２フランジ部３ｃは、第２側板１２に向かって軸方向に延びた第２外周部３ｅを先端に有している。第２外周部３ｅは、第２側板１２の内周部に対向して配置されている。なお、本実施形態では、第１フランジ部３ｂ及び第２フランジ部３ｃの外径は同じである。第２フランジ部３ｃの外周部分は、軸方向視において、第２側板１２の固定部１２ｂ及び係合部１２ｃと重なっている。すなわち、第２側板１２の固定部１２ｂ及び係合部１２ｃは、軸方向視において、第２フランジ部３ｃと重なる位置に設けられている。
【００３１】
ハンドル４は、図１に示すように、リール本体２の第１側（右側）に回転自在に設けられている。ハンドル４の回転は、図示しない回転伝達機構を介して、スプール３に伝達される。回転伝達機構は、従来と同様の構成であるため説明を省略する。
【００３２】
カウンタ２０は、機械式であり、スプール３の回転に連動して数値が変化する。カウンタ２０は連動機構の一例である。カウンタ２０は、リール本体２の第２側板１２側の側面上部に設けられている。カウンタ２０は、リール本体２の第２側カバー８と一体に設けられたケース部材１８に収容されている。ケース部材１８は、有底筒状であり、軸方向外側に延びて設けられている。カウンタ２０の数値は、ケース部材１８に設けられた開口部１８ａから視認可能である。なお、開口部１８ａは透明なレンズ１９で覆われている。
【００３３】
カウンタ２０には、第２側カバー８に収容された図示しないカウンタ駆動機構を介してスプール３の回転が伝達される。カウンタ駆動機構の詳細については、従来と同様の構成であるため説明を省略する。
【００３４】
発音機構３０は、図５に示すように、スプール３の回転に連動して発音するとともに、スプール３の回転に抵抗を付与する。発音機構３０は連動機構の一例である。発音機構３０は、第２側カバー８に移動可能に設けられた操作部３１（図１参照）の位置に応じて、発音可能状態と、発音不能状態とに切り換えられる。発音可能状態では、スプール軸１０に一体回転可能に連結された凹凸部材３２に、図示しない付勢部材により凹凸部材３２の回転中心に向けて付勢された発音部材３３が接触する。発音可能状態で凹凸部材３２が回転すると、凹凸部材３２と発音部材３３とが衝突を繰り返して発音部材３３が発音する。なお、発音機構３０の詳細については、従来と同様の構成であるため詳細な説明を省略する。
【００３５】
上記構成の両軸受リール１００では、軸方向視において、第２側板１２の固定部１２ｂがスプール３の第２フランジ部３ｃと重なる位置、すなわち内径側に偏倚して設けられている。このため、例えば、軸方向視において、第２側板１２の固定部１２ｂをスプール３の第２フランジ部３ｃよりも外側に設けた場合と比べて、第２側板１２の径方向のサイズを小さくすることができる。また、第２側板１２の径方向のサイズが小さくなることで、第２側板１２を覆う第２側カバー８の径方向のサイズも小さくすることができる。これにより、リール本体２の第２側を把持するときに良好なホールド性を得ることができる。さらに、第２側板１２の固定部１２ｂが第２開口部１２ａの周縁に設けられているため、第２側板１２の第２開口部１２ａの径を大きく形成することができる。これにより、カウンタ２０、及び発音機構３０などのスプール３に連動する機構をハンドル４と反対側のリール本体２の第２側板１２側に設置する場合において、スプール３に連動する機構の配置や組み付けが容易になる。
【００３６】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態は必要に応じて任意に組合せ可能である。
【００３７】
（ａ）前記実施形態では、第２側カバー８に突起部８ｂ、第２側板１２に係合部１２ｃを設けていたが、必ずしも突起部８ｂ及び係合部１２ｃを設ける必要はない。また、第２側板１２に向かって突出する突出部を第２側カバー８に設けて、突出部に係合する係合部を第２側板１２に設けてもよい。この場合、軸方向視において、係合部をスプール３の第２フランジ部３ｃと重なる位置に設けることで、前記実施形態と同様の効果を得ることができる。
【００３８】
（ｂ）前記実施形態では、スプール３に連動する連動機構としてカウンタ２０及び発音機構３０を設けていたが、連動機構は前記実施形態に限定されるものではない。例えば、釣り糸をスプール３に均一に巻き付けるレベルワインド機構をスプール３の回転に連動させる場合は、レベルワイド機構にスプール３の回転を伝達する伝達機構を第２側板１２側に設けてもよい。
【００３９】
（ｃ）前記実施形態では、第２側板１２の固定部１２ｂが第２側板の側面から軸方向外側に延びていたが、固定部１２ｂの形状は前記実施形態に限定されるものではない。固定部１２ｂは、第２開口部１２ａの周縁かつ軸方向視において、スプール３の第２フランジ部３ｃと重なる位置に設けられていればよく、例えば、第２側板１２の内周部から径方向内側に突出して設けられたねじ孔であってもよい。
【符号の説明】
【００４０】
２  リール本体
３  スプール
３ａ  糸巻き胴部
３ｃ  第２フランジ部（フランジ部の一例）
４  ハンドル
６  フレーム
８  第２側カバー（カバー部材の一例）
８ｂ  突起部
１０  スプール軸
１１  第１側板
１１ａ  第１開口部
１２  第２側板
１２ａ  第２開口部
１２ｂ  固定部
１２ｃ  係合部
１２ｄ  ねじ部
１４  ねじ部材
１５  軸受
２０  カウンタ（連動機構の一例）
３０  発音機構（連動機構の一例）
１００  両軸受リール